(57)【要約】【課題】太陽光の熱エネルギーを季節ごとに適宜な量だけ建築物の内部に取り込むことができ、例えば太陽光の熱エネルギーを暖房として用いる場合には、当該建築物の内部（特定の空間）を季節ごとに対応した適宜な温度環境とすることができる熱ダクト及びそれを設けた建築物を提供する。【解決手段】熱ダクト１００は、太陽光の熱エネルギーを住宅１の一階廊下２２に取り込むための熱ダクトであって、中空筒状の部材であってその内部で太陽光を案内する案内部１１０と、前記案内部１１０の内部に太陽光を入射させる入射部１２０と、前記案内部１１０の内部で案内された太陽光を外部へ放出する放出部１３０と、を具備し、前記入射部１２０は、太陽光の透過状態を低透過状態又は高透過状態に変化させる視野選択ガラス１２１を具備する。【選択図】図６
2014066015.tif 000002
【特許請求の範囲】
【請求項１】
太陽光の熱エネルギーを建築物の内部に取り込むための熱ダクトであって、
中空筒状の部材であってその内部で太陽光を案内する案内部と、
前記案内部の内部に太陽光を入射させる入射部と、
前記案内部の内部で案内された太陽光を外部へ放出する放出部と、
を具備し、
前記入射部は、太陽光の透過状態を低透過状態又は高透過状態に変化させる透過状態変化部を具備する、
ことを特徴とする熱ダクト。
【請求項２】
前記案内部には、断熱材が設けられる、
ことを特徴とする請求項１に記載の熱ダクト。
【請求項３】
前記案内部は、赤外線域の反射率が８０％以上に形成される、
ことを特徴とする請求項１又は請求項２に記載の熱ダクト。
【請求項４】
前記透過状態変化部は、光の入射角度に対応して当該光の透過率を変化させる視野選択ガラスにより構成される、
ことを特徴とする請求項１から請求項３までのいずれか一項に記載の熱ダクト。
【請求項５】
請求項１から請求項４までのいずれか一項に記載の熱ダクトを設けた、
ことを特徴とする建築物。
【請求項６】
前記入射部は、前記建築物の壁面に、当該入射部から前記案内部の内部に太陽光が入射可能となるように配置され、
前記透過状態変化部は、
夏季における太陽光の入射角度に対応して当該太陽光の透過状態を低透過状態に変化させ、
冬季における太陽光の入射角度に対応して当該太陽光の透過状態を高透過状態に変化させる、
ことを特徴とする請求項５に記載の建築物。
【発明の詳細な説明】
【技術分野】
【０００１】
本発明は、太陽光の熱エネルギーを建築物の内部に取り込むための熱ダクト及びそれを設けた建築物の技術に関する。
【背景技術】
【０００２】
従来、太陽光の熱エネルギーを建築物の内部に取り込むための熱ダクト及びそれを設けた建築物の技術は公知となっている。例えば、特許文献１に記載の如くである。
【０００３】
特許文献１には、太陽光を集光するリニアフレネルレンズ（入射部）と、前記リニアフレネルレンズにより集光された太陽光を案内する導光ダクト（案内部）と、前記導光ダクトにより案内された太陽光の熱を蓄熱させる給湯用の蓄熱槽と、を具備する熱ダクト及びそれを設けた建築物の技術が開示されている。すなわち、前記技術においては、リニアフレネルレンズにより集光させた太陽光を導光ダクトにより案内し、当該案内された太陽光の熱を蓄熱槽に蓄熱させることにより、太陽光の熱エネルギーを建築物の内部に取り込むことができる。
【０００４】
しかし、特許文献１に記載された技術においては、太陽光の熱エネルギーを季節ごとに適宜な量だけ建築物の内部に取り込むことができない。したがって、例えば太陽光の熱エネルギーを暖房として用いる場合には、当該建築物の内部（特定の空間）を季節ごとに対応した適宜な温度環境とすることができない点で不利であった。
【先行技術文献】
【特許文献】
【０００５】
【特許文献１】特開２０１１−６４３７６号公報
【発明の概要】
【発明が解決しようとする課題】
【０００６】
本発明は以上の如き状況に鑑みてなされたものであり、その解決しようとする課題は、太陽光の熱エネルギーを季節ごとに適宜な量だけ建築物の内部に取り込むことができ、例えば太陽光の熱エネルギーを暖房として用いる場合には、当該建築物の内部（特定の空間）を季節ごとに対応した適宜な温度環境とすることができる熱ダクト及びそれを設けた建築物を提供することである。
【課題を解決するための手段】
【０００７】
本発明の解決しようとする課題は以上の如くであり、次にこの課題を解決するための手段を説明する。
【０００８】
即ち、請求項１においては、太陽光の熱エネルギーを建築物の内部に取り込むための熱ダクトであって、中空筒状の部材であってその内部で太陽光を案内する案内部と、前記案内部の内部に太陽光を入射させる入射部と、前記案内部の内部で案内された太陽光を外部へ放出する放出部と、を具備し、前記入射部は、太陽光の透過状態を低透過状態又は高透過状態に変化させる透過状態変化部を具備するものである。
【０００９】
請求項２においては、前記案内部には、断熱材が設けられるものである。
【００１０】
請求項３においては、前記案内部は、赤外線域の反射率が８０％以上に形成されるものである。
【００１１】
請求項４においては、前記透過状態変化部は、光の入射角度に対応して当該光の透過率を変化させる視野選択ガラスにより構成されるものである。
【００１２】
請求項５においては、請求項１から請求項４までのいずれか一項に記載の熱ダクトを設けたものである。
【００１３】
請求項６においては、前記入射部は、前記建築物の壁面に、当該入射部から前記案内部の内部に太陽光が入射可能となるように配置され、前記透過状態変化部は、夏季における太陽光の入射角度に対応して当該太陽光の透過状態を低透過状態に変化させ、冬季における太陽光の入射角度に対応して当該太陽光の透過状態を高透過状態に変化させるものである。
【発明の効果】
【００１４】
本発明の効果として、以下に示すような効果を奏する。
【００１５】
請求項１においては、太陽光の熱エネルギーを季節ごとに適宜な量だけ建築物の内部に取り込むことができ、例えば太陽光の熱エネルギーを暖房として用いる場合には、当該建築物の内部（特定の空間）を季節ごとに対応した適宜な温度環境とすることができる。
【００１６】
請求項２においては、太陽光の熱エネルギーの損失を防止すると共に、内部結露の発生を防止することができる。
【００１７】
請求項３においては、太陽光の熱エネルギーの損失を防止することができる。
【００１８】
請求項４においては、太陽光の透過状態を変化させるための装置を設ける必要がなく、簡易な構成で太陽光の透過状態を低透過状態又は高透過状態に変化させることができる。
【００１９】
請求項５においては、太陽光の熱エネルギーを季節ごとに適宜な量だけ建築物の内部に取り込むことができ、例えば太陽光の熱エネルギーを暖房として用いる場合には、当該建築物の内部（特定の空間）を季節ごとに対応した適宜な温度環境とすることができる。
【００２０】
請求項６においては、太陽光の透過状態を変化させるための装置を設ける必要がなく、簡易な構成で太陽光の透過状態を低透過状態又は高透過状態に変化させることができる。
【図面の簡単な説明】
【００２１】
【図１】本発明の第一実施形態に係る熱ダクト及びそれを設けた住宅の全体的な構成を示した側面断面模式図。
【図２】住宅の一階部分を示した平面図。
【図３】熱ダクトの構成を示した側面断面模式図。
【図４】太陽光の熱エネルギーを取り込む熱ダクトの様子を示した側面断面模式図。
【図５】（ａ）透過状態変化部の構成を示した側面模式図。（ｂ）光の透過状態が低透過状態である場合の、透過状態変化部の構成を示した側面模式図。（ｃ）光の透過状態が高透過状態である場合の、透過状態変化部の構成を示した側面模式図。
【図６】（ａ）夏季における熱ダクトの態様を示した側面断面模式図。（ｂ）冬季における熱ダクトの態様を示した側面断面模式図。
【図７】本発明の第二実施形態に係る熱ダクトの構成を示した側面断面模式図。
【発明を実施するための形態】
【００２２】
まず、図１及び図２を用いて、本発明の第一実施形態に係る熱ダクト１００を設けた住宅１の全体的な構成について説明する。
【００２３】
住宅１は、人の居住を用途とする二階建ての建物である。住宅１は、四方を取り囲んだ壁部１０の内側に、一階床部２０と、一階と二階との境界部となる二階床部３０と、を有する。
【００２４】
図１に示すように、住宅１の二階には、寝室３１と、二階廊下３２とが、二階床部３０に配置される。
【００２５】
寝室３１は、住宅１の南部分に配置される。二階廊下３２は、住宅１の北部分に配置される。なお、二階床部３０の内部には、太陽光の熱エネルギーを住宅１の内部に取り込むための熱ダクト１００が配設される。
【００２６】
図１及び図２に示すように、住宅１の一階には、玄関２１と、一階廊下２２と、トイレ２３と、折り返し階段２４と、階段下収納２５と、リビング２６と、デッキ２７と、車庫２８とが、一階床部２０に配置される。
【００２７】
玄関２１は、住宅１の北部分に配置される。玄関２１の南側には、南方向に向かって一階廊下２２が延設される。一階廊下２２の西側には、北から南に向かって順にトイレ２３及び折り返し階段２４が配置される。折り返し階段２４の下方には階段下収納２５が配置される。一階廊下２２の南側には、リビング２６が配置される。一階廊下２２の東南側には、デッキ２７が配置される。一階廊下２２の東側には、車庫２８が配置される。
【００２８】
なお、住宅１は、本発明に係る「建築物」の一実施形態である。本発明に係る「建築物」は、住宅に限定するものではなく、例えばオフィスビルや、駅舎や、ホテル等の建物であってもよい。
【００２９】
次に、図１から図５を用いて、熱ダクト１００の構成について詳細に説明する。
【００３０】
熱ダクト１００は、太陽光の熱エネルギーを住宅１の内部に取り込むためのものである。より詳細には、熱ダクト１００は、太陽光の熱エネルギーを住宅１の一階廊下２２に取り込み、当該一階廊下２２の暖房として用いるためのものである。熱ダクト１００は、二階床部３０の内部に配置される。すなわち、熱ダクト１００は、一階に滞在する人や二階に滞在する人に視認されない場所に配置される。熱ダクト１００は、主として案内部１１０と、入射部１２０と、放出部１３０と、により構成される。
【００３１】
案内部１１０は、中空筒状の部材であって、その内部で太陽光を案内（搬送）するものである。より詳細には、図４に示すように、案内部１１０は、入射部１２０から入射した太陽光を、当該案内部１１０の内部で繰り返し反射させて放出部１３０に到達させるものである。図１及び図２に示すように、案内部１１０は、二階床部３０の内部を、住宅１の南側の壁部１０から北側へ向けて略直線状に延出される。案内部１１０の中途部は、リビング２６の上方であって、寝室３１の下方に位置する。案内部１１０の先端部（北側端部）は、一階廊下２２の上方に位置する。
【００３２】
また、案内部１１０は、赤外線域の反射率が高い材料により形成される。これによって、案内部１１０は、当該案内部１１０の内部での赤外線域の損失を抑制することができる。なお、案内部１１０は、赤外線域の反射率が８０％以上であるアルミ材等の金属製の材料により形成されることが望ましい。これによって、案内部１１０は、当該案内部１１０の内部での赤外線域の損失をより一層抑制することができる。
【００３３】
また、図３に示すように、案内部１１０の外周部には、断熱材１１１が取り付けられる。断熱材１１１は、グラスウール等の繊維系断熱材であり、案内部１１０の外周部の形状に沿って略隙間無く配置される。これによって、太陽光の赤外線域が案内部１１０の内部で反射する際に発生する熱エネルギーの損失を防止することができる。また、これによって、熱エネルギーが案内部１１０の外部に逃げて当該案内部１１０が冷却されることを防止し、ひいては当該案内部１１０の内部に内部結露が発生すること防止することができる。
【００３４】
また、案内部１１０の北側端部には、当該案内部１１０の下側面が下側へ向けて緩やかに傾斜する傾斜部１１２が形成され、下側へ向けて突出した突出部１１３が形成される。案内部１１０により案内される太陽光は、傾斜部１１２及び突出部１１３により北側方向から下側方向（後述する放出部１３０）へ向けて案内方向が変更されることになる（図４参照）。
【００３５】
また、案内部１１０の北側端部（より詳細には、案内部１１０の突出部１１３）には、放出部１３０が形成される。また、案内部１１０の南側端部には、入射部１２０が形成される。
【００３６】
入射部１２０は、案内部１１０の内部に太陽光を入射させるものである。入射部１２０は、案内部１１０の南側面が外側を臨むように開口された開口部である。入射部１２０は、案内部１１０の内部に太陽光を最大限に入射させることができるように、上下方向の開口幅（長さ）が出来るだけ長くなるように形成される。
【００３７】
また、入射部１２０は、住宅１の南側の壁部１０に形成された壁部開口部１１と接続される。壁部開口部１１は、南北方向視にて入射部１２０と略同一形状であって略同位置となるように、住宅１の南側の壁部１０に開口された開口部である。壁部開口部１１は、住宅１の南側の壁部１０であって、一年を通じて（夏季や冬季等の季節を問わず）太陽光により照射される場所（住宅１の屋根や他の建築物の日陰等とならない場所）に形成される。
【００３８】
また、入射部１２０には、透過性を有する視野選択ガラス１２１が配設される。視野選択ガラス１２１は、太陽光の透過状態を低透過状態又は高透過状態に変化させる部材である。視野選択ガラス１２１は、その板面を南北方向へ向け、住宅１の外部と案内部１１０の内部とを区画するように配置される。視野選択ガラス１２１は、光の入射角度に対応して当該光の透過率を変化させることができる。より詳細には、図５（ａ）に示すように、光の入射角度が角度Ａ１であるか、又は角度Ａ２であるかに対応して当該光の透過率を変化させる。
【００３９】
放出部１３０は、案内部１１０の内部で案内された太陽光を外部へ放出するものである。放出部１３０は、案内部１１０の突出部１１３の下側面が下側を臨むように開口された開口部である。放出部１３０には、透過性を有するアクリル板１３１が配設される。アクリル板１３１は、その板面を上下方向へ向け、案内部１１０の内部と住宅１の一階廊下２２とを区画するように配置される。なお、本実施形態ではアクリル板１３１を設ける構成としているが、当該アクリル板１３１を設けない構成とすることもできる。
【００４０】
また、放出部１３０は、住宅１の二階床部３０の下側面に形成された二階床部開口部３３と接続される。二階床部開口部３３は、上下方向視にて放出部１３０と略同一形状であって略同位置となるように、二階床部３０の下側面に開口された開口部である。二階床部開口部３３は、二階床部３０のうち一階廊下２２の上方（天井）となる位置に形成される。
【００４１】
次に、図４を用いて、太陽光の熱エネルギーを取り込む熱ダクト１００の様子について説明する。
【００４２】
太陽光は、住宅１の南側の壁部１０へ向けて照射している。壁部１０に照射された太陽光は、壁部開口部１１及び熱ダクト１００の入射部１２０（より詳細には、入射部１２０の視野選択ガラス１２１）を介して熱ダクト１００の案内部１１０の内部に入射する。なお、案内部１１０の内部に入射した太陽光は、当該案内部１１０の内部に入射する際に視野選択ガラス１２１により入射する光量が変化される。そして、案内部１１０の内部に入射した太陽光は、当該案内部１１０の内部で繰り返し反射しながら北側へ向けて案内される。そして、案内部１１０の内部の北側端部に到達した太陽光は、傾斜部１１２及び突出部１１３により下側へ向けて案内方向が変更される。そして、突出部１１３の放出部１３０に到達した太陽光は、放出部１３０（より詳細には、放出部１３０のアクリル板１３１）及び二階床部開口部３３を介して熱ダクト１００の案内部１１０の外部、すなわち一階廊下２２に放出される。
【００４３】
このように、熱ダクト１００により太陽光、より詳細には、太陽光の赤外線域が一階廊下２２に放出されることによって、一階廊下２２の空気温度が上昇されることになる。つまり、熱ダクト１００により太陽光の熱エネルギーを住宅１の一階廊下２２に取り込み、当該一階廊下２２の暖房として用いることができる。
【００４４】
ここで、住宅１の一階廊下２２は、リビング２６や寝室３１等とは異なり、人が滞在する時間が短い場所である。したがって、一般的に、住宅１の一階廊下２２を暖房装置を用いて空気温度を上昇させることは非効率であり行われない。さらに、住宅１の一階廊下２２は、住宅１の概ね北側に配置されている。したがって、住宅１の一階廊下２２には、通常であれば（熱ダクト１００を設けていない構成であれば）太陽光の熱エネルギーを取り込むことができない。
【００４５】
しかしながら、住宅１は熱ダクト１００を設けることにより、通常であれば太陽光の熱エネルギーを取り込むことができない（住宅１の概ね北側に配置されている）一階廊下２２に太陽光の熱エネルギーを取り込むことができる。すなわち、一階廊下２２の空気温度が低い（適宜な温度環境ではない）場合には、暖房装置を用いなくても（すなわち、動力を用いなくて省エネ効果を有しながらも）、太陽光の熱エネルギーにより当該一階廊下２２の空気温度を上昇させ、当該一階廊下２２を適宜な温度環境とすることができる。
【００４６】
次に、図５及び図６を用いて、熱ダクト１００により住宅１の一階廊下２２を季節ごとに対応した適宜な温度環境とする構成について説明する。
【００４７】
前述の如く、視野選択ガラス１２１は、太陽光の透過状態を低透過状態又は高透過状態に変化させる部材である。視野選択ガラス１２１は、図５（ａ）に示すように、光の入射角度が角度Ａ１であるか、又は角度Ａ２であるかに対応して当該光の透過率を変化させる。
【００４８】
より詳細には、図５（ｂ）に示すように、視野選択ガラス１２１は、光の入射角度が角度Ａ１である場合には、当該角度Ａ１に対応して当該光の透過率が低くなるように（例えば、３０％以下に）設定される。すなわち、このような場合、視野選択ガラス１２１は、光の透過状態が低透過状態となる。
【００４９】
一方、図５（ｃ）に示すように、視野選択ガラス１２１は、光の入射角度が角度Ａ２である場合には、当該角度Ａ２に対応して当該光の透過率が高くなるように（例えば、７０％以上に）設定される。すなわち、このような場合、視野選択ガラス１２１は、光の透過状態が高透過状態となる。
【００５０】
ここで、角度Ａ１及び角度Ａ２は、季節ごとの視野選択ガラス１２１への太陽光の入射角度に応じて設定される。すなわち、太陽の高度は季節ごとに異なるものであるため、壁部開口部１１及び熱ダクト１００の入射部１２０（より詳細には、入射部１２０の視野選択ガラス１２１）を介して熱ダクト１００の案内部１１０の内部に入射する太陽光の入射角度は、季節ごとに異なっている。
【００５１】
より詳細には、夏季には、太陽の高度は高くなるため、太陽から視野選択ガラス１２１への入射角度は大きくなる。そして、このような夏季の場合の太陽から視野選択ガラス１２１への入射角度が、角度Ａ１として設定される。
【００５２】
一方、冬季には、太陽の高度は低くなるため、太陽から視野選択ガラス１２１への入射角度は小さくなる。そして、このような冬季の場合の太陽から視野選択ガラス１２１への入射角度が、角度Ａ２として設定される。
【００５３】
図６（ａ）は、夏季の場合、すなわち太陽光から視野選択ガラス１２１への入射角度が角度Ａ１の場合の熱ダクト１００の態様を示している。このような場合、視野選択ガラス１２１は太陽光の透過率が低くなるように設定され、当該太陽光の透過状態が低透過状態となる。すなわち、視野選択ガラス１２１を介して案内部１１０の内部に入射する太陽光の光量は、当該入射前と比べて大きく減少することになる。
【００５４】
これによって、夏季の場合には、住宅１の一階廊下２２に取り込む太陽光の熱エネルギーの量を大きく減少させ、当該一階廊下２２の空気温度が必要以上に上昇しないようにしている。すなわち、太陽光の熱エネルギーを夏季に適宜な量だけ住宅１の一階廊下２２に取り込んで、当該一階廊下２２を夏季に対応した適宜な温度環境としている。
【００５５】
図６（ｂ）は、冬季の場合、すなわち太陽光から視野選択ガラス１２１への入射角度が角度Ａ２の場合の熱ダクト１００の態様を示している。このような場合、視野選択ガラス１２１は太陽光の透過率が高くなるように設定され、当該太陽光の透過状態が高透過状態となる。すなわち、視野選択ガラス１２１を介して案内部１１０の内部に入射する太陽光の光量は、当該入射前と比べてほとんど減少しないことになる。
【００５６】
これによって、冬季の場合には、住宅１の一階廊下２２に取り込む太陽光の熱エネルギーの量をほとんど減少させず、当該一階廊下２２の空気温度を出来るだけ上昇させるようにしている。すなわち、太陽光の熱エネルギーを冬季に適宜な量だけ住宅１の一階廊下２２に取り込んで、当該一階廊下２２を冬季に対応した適宜な温度環境としている。
【００５７】
このように、案内部１１０の内部に太陽光を入射させる際に太陽光の透過状態を変化させるための装置（動力）を設ける必要がなく、簡易な構成で太陽光の透過状態を低透過状態又は高透過状態に変化させることができる。そして、太陽光の熱エネルギーを夏季や冬季等の季節ごとに適宜な量だけ住宅１の一階廊下２２に取り込むことができ、当該住宅１の特定の空間である一階廊下２２を季節ごとに対応した適宜な温度環境とすることができる。
【００５８】
以上のように、熱ダクト１００は、
太陽光の熱エネルギーを建築物（住宅１）の内部（一階廊下２２）に取り込むための熱ダクトであって、
中空筒状の部材であってその内部で太陽光を案内する案内部１１０と、
前記案内部１１０の内部に太陽光を入射させる入射部１２０と、
前記案内部１１０の内部で案内された太陽光を外部へ放出する放出部１３０と、
を具備し、
前記入射部１２０は、太陽光の透過状態を低透過状態又は高透過状態に変化させる透過状態変化部（視野選択ガラス１２１）を具備するものである。
【００５９】
このような構成により、太陽光の熱エネルギーを季節ごとに適宜な量だけ建築物（住宅１）の内部（一階廊下２２）に取り込むことができ、例えば太陽光の熱エネルギーを暖房として用いる場合には、当該建築物（住宅１）の内部（特定の空間である一階廊下２２）を季節ごとに対応した適宜な温度環境とすることができる。
【００６０】
また、熱ダクト１００において、前記案内部１１０には、断熱材１１１が設けられるものである。
【００６１】
このような構成により、太陽光の熱エネルギーの損失を防止すると共に、内部結露の発生を防止することができる。
【００６２】
また、熱ダクト１００において、前記案内部１００は、赤外線域の反射率が８０％以上に形成されるものである。
【００６３】
このような構成により、太陽光の熱エネルギーの損失を防止することができる。
【００６４】
また、熱ダクト１００において、前記透過状態変化部（視野選択ガラス１２１）は、光の入射角度に対応して当該光の透過率を変化させる視野選択ガラス１２１により構成されるものである。
【００６５】
このような構成により、太陽光の透過状態を変化させるための装置を設ける必要がなく、簡易な構成で太陽光の透過状態を低透過状態又は高透過状態に変化させることができる。
【００６６】
また、以上のように、住宅１は、前述の如く構成された熱ダクト１００を設けたものである。
【００６７】
このような構成により、太陽光の熱エネルギーを季節ごとに適宜な量だけ建築物（住宅１）の内部（一階廊下２２）に取り込むことができ、例えば太陽光の熱エネルギーを暖房として用いる場合には、当該建築物（住宅１）の内部（特定の空間である一階廊下２２）を季節ごとに対応した適宜な温度環境とすることができる。
【００６８】
また、住宅１において、
前記入射部１２０は、前記建築物（住宅１）の壁面（南側の壁部１０）に、当該入射部１２０から前記案内部１１０の内部に太陽光が入射可能となるように配置され、
前記透過状態変化部（視野選択ガラス１２１）は、
夏季における太陽光の入射角度（角度Ａ１）に対応して当該太陽光の透過状態を低透過状態に変化させ、
冬季における太陽光の入射角度（角度Ａ２）に対応して当該太陽光の透過状態を高透過状態に変化させるものである。
【００６９】
このような構成により、太陽光の透過状態を変化させるための装置を設ける必要がなく、簡易な構成で太陽光の透過状態を低透過状態又は高透過状態に変化させることができる。
【００７０】
なお、熱ダクト１００は、本発明に係る「熱ダクト」の一実施形態である。本発明に係る「熱ダクト」は、熱ダクト１００の構成に限定するものではない。
【００７１】
また、案内部１１０は、本発明に係る「案内部」の一実施形態である。本発明に係る「案内部」は、案内部１１０の構成に限定するものではない。
【００７２】
例えば、図７に示すように、本発明に係る第二実施形態である第二案内部２１０は、第二案内部２１０の外周部に取り付けられた断熱材１１１と、当該第二案内部２１０の外周部と、の間に蓄熱材２０１を配置する構成とすることができる。蓄熱材２０１は、太陽光の赤外線域が案内部１１０の内部で反射する際に発生する熱エネルギーを一定時間だけ保存することができる。
【００７３】
また、例えば、第二案内部２１０の外周部に（断熱材１１１が取り付けられず）蓄熱材２０１だけを取り付ける構成（不図示）とすれば、当該蓄熱材２０１に蓄熱させた熱により、熱ダクト１００の上方に配置される寝室３１や、下方に配置されるリビング２６の空気温度を上昇させることができ、一階廊下２２以外の特定の空間も適宜な温度環境とすることができる。
【００７４】
また、案内部１１０は略直線状に延出される構成としたが、本発明に係る「案内部」は湾曲状に延出したり、折り返し部を複数設ける構成であってもよい。但し、本発明に係る「案内部」は、当該「案内部」の内部での赤外線域の損失を出来るだけ抑制するため、例えば前記折り返し部が１箇所であったり、長さが４５５ｍｍから５０００ｍｍ程度であることが望ましい。
【００７５】
また、案内部１１０は赤外線域の反射率が高いアルミ材等の金属製の材料により形成される構成としたが、本発明に係る「案内部」は前記金属製以外の材料により形成される構成であってもよい。但し、前述の如く本発明に係る「案内部」を前記金属製以外の材料により形成する場合には、当該材料により形成された「案内部」の内部に遮熱塗料を塗布する等して赤外線域の反射率を高くする必要がある。
【００７６】
また、案内部１１０は赤外線域の反射率が８０％以上の材料により形成されるが、夏季において住宅１の一階廊下２２に取り込まれる太陽光の熱エネルギーの量をさらに減少させるために、赤外線域の反射率に上限（例えば、反射率が８５％以下）を設ける構成であってもよい。これによって、太陽光の熱エネルギーを夏季に、より適宜な量だけ住宅１の一階廊下２２に取り込んで、当該一階廊下２２を夏季に対応した、より適宜な温度環境とすることができる。
【００７７】
また、案内部１１０は二階床部３０の内部に配置される構成としたが、本発明に係る「案内部」は二階の天井となる部分に配置される構成であってもよい。
【００７８】
また、入射部１２０は、本発明に係る「入射部」の一実施形態である。本発明に係る「入射部」は、入射部１２０の構成に限定するものではない。
【００７９】
例えば、入射部１２０は、住宅１の南側の壁部１０に形成された壁部開口部１１と接続される構成としたが、西側や南東側等の壁部１０に形成された壁部開口部１１と接続される構成であってもよい。
【００８０】
また、壁部開口部１１は、一年を通じて（夏季や冬季等の季節を問わず）太陽光により照射される場所（住宅１の屋根や他の建築物の日陰等とならない場所）に形成される構成としたが、太陽の高度に応じて冬季には太陽光により照射される一方、夏季には太陽光により照射されない場所に形成される構成であってもよい。これによって、夏季には、住宅１の一階廊下２２に取り込む太陽光の熱エネルギーの量をより大きく減少させ、当該一階廊下２２の空気温度が必要以上に上昇しないようにすることができる。
【００８１】
また、放出部１３０は、本発明に係る「放出部」の一実施形態である。本発明に係る「放出部」は、放出部１３０の構成に限定するものではない。
【００８２】
例えば、放出部１３０は、太陽光の熱エネルギーを住宅１の一階廊下２２に放出する構成としたが、トイレ２３や折り返し階段２４や階段下収納２５や二階廊下３２に放出する構成であってもよい。また、例えば階段下収納２５に当該空間内の温度調整が必要な機器（蓄電装置等）を配置した場合には、当該空間内を前記機器に対して適宜な温度環境とすることができる。すなわち、本発明の構成から奏される効果として、特定の空間を適宜な温度環境とすることには、人に対して適宜な温度環境とすることだけでなく、機器に対して適宜な温度環境とすることも含まれる。
【００８３】
また、視野選択ガラス１２１は、本発明（請求項１）に係る「透過状態変化部」の一実施形態である。本発明（請求項１）に係る「透過状態変化部」は、視野選択ガラス１２１の構成に限定するものではない。
【００８４】
例えば、本発明（請求項１）に係る「透過状態変化部」は、調光ガラスを設けて季節ごとに電気的に光の透過率を変化させる構成であってもよい。より詳細には、夏季には前記調光ガラスを電気的に光の透過率が低くなるように設定する。すなわち、このような場合、前記調光ガラスは、光の透過状態が低透過状態となる。一方、冬季には前記調光ガラスを電気的に光の透過率が高くなるように設定する。すなわち、このような場合、前記調光ガラスは、光の透過状態が高透過状態となる。
【００８５】
また、本発明に係る「透過状態変化部」には、図７に示すように、入射部１２０及び壁部開口部１１の外側に開閉可能な蓋部材２０２を設ける構成であってもよい。より詳細には、夏季には蓋部材２０２により入射部１２０及び壁部開口部１１を閉鎖することによって、住宅１の一階廊下２２に取り込む太陽光の熱エネルギーの量をより大きく減少させ、当該一階廊下２２の空気温度が必要以上に上昇しないようにすることができる。
【００８６】
また、視野選択ガラス１２１は、本発明（請求項２）に係る「視野選択ガラス」の一実施形態である。本発明（請求項２）に係る「視野選択ガラス」は、視野選択ガラス１２１の構成に限定するものではない。
【００８７】
例えば、視野選択ガラス１２１は、光の透過率を角度Ａ１及び角度Ａ２の、２つの角度により変化させているが、さらに角度Ａ３を設け、光の透過率を３つの角度により変化させる構成であってもよい。これによって、太陽光の熱エネルギーを夏季や冬季に加えて、春季（秋季）の季節ごとに適宜な量だけ住宅１の一階廊下２２に取り込むことができ、当該住宅１の特定の空間である一階廊下２２を季節ごとに対応した適宜な温度環境とすることができる。
【符号の説明】
【００８８】
１        住宅
１０      壁部
２２      一階廊下
１００    熱ダクト
１１０    案内部
１１１    断熱材
１２０    入射部
１２１    視野選択ガラス
１３０    放出部
【図１】
2014066015.tif 000003
【図２】
2014066015.tif 000004
【図３】
2014066015.tif 000005
【図４】
2014066015.tif 000006
【図５】
2014066015.tif 000007
【図６】
2014066015.tif 000008
【図７】
2014066015.tif 000009